(57)【要約】      （修正有）【課題】車載情報システムにおいて、情報センタが検索結果を車載端末に転送するときに、データ転送量を低減する。【解決手段】車載端末１１０が持つデータテーブルと情報センタ１８０が持つデータテーブルとの間で、同じコンテンツについては同じ管理番号を持ち、情報センタが検索した結果を車載端末１１０に転送する場合は、コンテンツの管理番号を送信し、車載端末１１０のデータテーブルに記録されていないコンテンツのみ詳細情報を送信することを特徴とする車載情報送信方法を提供する。【選択図】図１
2008128799.tif 000002
【特許請求の範囲】
【請求項１】
車載端末から車載管理装置に通信を用いて車載情報の検索を依頼し、前記車載管理装置で検索した少なくとも１つの車載情報を前記車載端末に送信する車載情報システムにおける車載情報送信方法であって、
前記車載管理装置は、
車載情報ごとに割り付けられた識別番号を含んだ車載情報を記憶した情報記憶部と、前記車載端末ごとに、この車載端末が有する前記車載情報の識別情報を記憶する端末管理記憶部と、を記憶装置に記憶しておき、
前記車載端末から車載情報の検索の依頼に基づいて、前記情報記憶部から車載情報を検索し、
前記検索した車載情報ごとの識別番号を用いて、前記車載端末に当該車載情報が存在するか否かを前記端末管理記憶部を参照して判定し、前記車載端末に当該車載情報が存在しないと判定された場合は、その車載情報を送信し、前記車載端末に当該車載情報が存在すると判定された場合は、その車載情報に対応する識別番号を送信する
ことを特徴とする車載情報送信方法。
【請求項２】
前記車載管理装置は、
前記車載情報ごとに、バージョンを付加して記憶した情報記憶部から検索した車載情報のバージョンと、前記車載端末が有する、前記車載管理装置から送信された車載情報を記憶した履歴記憶部のバージョンと、が同じであるか否かを判定し、同じである場合は、この車載情報に対応する識別番号を送信する
ことを特徴とする請求項１に記載の車載情報送信方法。
【請求項３】
車載端末から車載管理装置に通信を用いて車載情報の検索を依頼し、前記車載管理装置で検索した少なくとも１つの車載情報を前記車載端末に送信する車載情報システムにおける車載管理装置であって、
前記車載管理装置は、
車載情報ごとに割り付けられた識別番号を含んだ車載情報を記憶した情報記憶部と、前記車載端末ごとに、この車載端末が有する前記車載情報の識別情報を記憶する端末管理記憶部と、を記憶装置に有し、
前記車載端末から車載情報の検索の依頼に基づいて、前記情報記憶部から車載情報を検索し、
前記検索した車載情報ごとの識別番号を用いて、前記車載端末に当該車載情報が存在するか否かを前記端末管理記憶部を参照して判定し、前記車載端末に当該車載情報が存在しないと判定された場合は、その車載情報を送信し、前記車載端末に当該車載情報が存在すると判定された場合は、その車載情報の管理番号を送信する端末管理部を有する
ことを特徴とする車載管理装置。
【請求項４】
前記端末管理部は、
前記車載情報ごとに、バージョンを付加して記憶した情報記憶部から検索した車載情報のバージョンと、前記車載端末が有する、前記車載管理装置から送信された車載情報を記憶した履歴記憶部のバージョンと、が同じであるか否かを判定し、同じである場合は、この車載情報に対応する識別番号を送信する
ことを特徴とする請求項３に記載の車載管理装置。
【請求項５】
車載端末から車載管理装置に通信を用いて車載情報の検索を依頼し、前記車載管理装置で検索した少なくとも１つの車載情報を前記車載端末に送信する車載情報システムにおける車載端末であって、
前記車載端末は、
前記車載管理装置から送信された車載情報を記憶した履歴記憶部を記憶装置に有し、
前記車載管理装置から、検索された車載情報が送信されたとき、送信された車載情報それぞれについて、この車載情報が識別番号であるか否かを判定し、この車載情報が識別番号であると判定された場合は、前記履歴記憶部から当該識別番号を用いて車載情報を参照して前記識別番号を前記参照した車載情報に置換するデータ復元部を有する
ことを特徴とする車載端末。
【請求項６】
車載端末から車載管理装置に通信を用いて車載情報の検索を依頼し、前記車載管理装置で検索した少なくとも１つの車載情報を前記車載端末に送信する車載情報システムであって、
前記車載端末は、
前記車載管理装置から送信された車載情報を記憶した履歴記憶部を記憶装置に有し、
前記車載管理装置は、
車載情報ごとに割り付けられた識別番号を含んだ車載情報を記憶した情報記憶部と、前記車載端末ごとに、この車載端末が有する前記車載情報の識別情報を記憶する端末管理記憶部と、を記憶装置に有し、
前記車載端末から車載情報の検索の依頼に基づいて、前記情報記憶部から車載情報を検索し、
前記検索した車載情報ごとの識別番号を用いて、前記車載端末に当該車載情報が存在するか否かを前記端末管理記憶部を参照して判定し、前記車載端末に当該車載情報が存在しないと判定された場合は、その車載情報を送信し、前記車載端末に当該車載情報が存在すると判定された場合は、その車載情報の管理番号を送信する端末管理部を有し、
前記車載端末は、
前記車載管理装置から、検索された車載情報が送信されたとき、送信された車載情報それぞれについて、この車載情報が識別番号であるか否かを判定し、この車載情報が識別番号であると判定された場合は、前記履歴記憶部から当該識別番号を用いて車載情報を参照して前記識別番号を前記参照した車載情報に置換するデータ復元部を有する
ことを特徴とする車載情報システム。
【請求項７】
車載端末から車載管理装置に通信を用いて車載情報の検索を依頼し、前記車載管理装置で検索した少なくとも１つの車載情報を前記車載端末に送信する車載情報システムにおける車載情報送信方法であって、
前記車載管理装置は、
車載情報ごとに割り付けられた識別番号を含んだ車載情報を記憶した情報記憶部を記憶装置に記憶しておき、
前記車載端末から車載情報の検索の依頼に基づいて、前記情報記憶部から車載情報を検索し、
前記検索した全ての車載情報の識別番号を前記車載端末に送信し、
前記車載端末は、
前記車載管理装置から送信された車載情報を記憶した履歴記憶部を記憶装置に記憶しておき、
前記送信されたそれぞれの車載情報の識別番号が存在するか否かについて、前記履歴記憶部を参照して判定し、存在しない識別番号を前記車載管理装置に送信し、
前記車載管理装置は、
前記送信された識別番号についての車載情報を送信する
ことを特徴とする車載情報送信方法。
【請求項８】
車載端末から車載管理装置に通信を用いて車載情報の検索を依頼し、前記車載管理装置で検索した少なくとも１つの車載情報を前記車載端末に送信する車載情報システムにおける車載情報送信方法であって、
前記車載端末は、
前記車載管理装置から送信された車載情報を記憶した履歴記憶部を記憶装置に記憶しておき、
前記車載管理装置は、
車載情報ごとに割り付けられた識別番号を含んだ車載情報を記憶した情報記憶部と、前記車載端末ごとに、この車載端末が有する前記車載情報の識別情報を記憶する端末管理記憶部と、を記憶装置に記憶しておき、
前記車載端末から車載情報の検索の依頼に基づいて、前記情報記憶部から所定の距離範囲の車載情報を検索し、
前記所定の距離範囲を送信データに含み、前記検索した車載情報ごとの識別番号を用いて、前記車載端末に当該車載情報が存在するか否かを、前記端末管理記憶部を参照して判定し、前記車載端末に当該車載情報が存在しない場合は、その車載情報とともに送信する
ことを特徴とする車載情報送信方法。
【請求項９】
前記車載端末から前記車載管理装置に電話回線を利用して音声通話により車載情報の検索を依頼し、前記検索した車載情報を前記車載端末に送信する場合も、前記電話回線の接続を維持したまま、当該回線を利用する車載情報システムにおける車載情報送信方法であって、
前記車載管理装置から前記車載端末に前記検索した車載情報を送信中に前記電話回線が切断された場合は、再度回線を接続したとき音声通話を省略して前記検索した車載情報を送信する
ことを特徴とする請求項１、２、７、及び８のいずれか１項に記載の車載情報送信方法。
【発明の詳細な説明】
【技術分野】
【０００１】
本発明は、車載情報送信方法、車載管理装置、車載端末および車載情報システムに関する。
【背景技術】
【０００２】
従来、カーナビゲーションに携帯電話などの通信機器を接続し、情報センタから最新の情報を入手する車載情報システムが開示されている（特許文献１参照）。
このシステムでは、端末から電話でセンタのオペレータに情報検索を依頼し、その結果を端末に送信する。
また、別の開示では、端末からセンタのデータベースの情報検索したときの検索式とその結果を端末に保存しておき、再度同じ検索を行う場合は、端末に保存されている結果を表示する方式がある（特許文献２参照）。
さらに、端末からサーバのデータベースを検索するシステムの例として、データベースをサーバと端末の両方に保存しておき、端末で検索を行う場合、サーバと端末のデータベースのバージョンが一致すれば端末のデータベースを検索するシステムが開示されている（特許文献３参照）。
【０００３】
【特許文献１】特開２００５−２３３７７８号公報
【特許文献２】特開平８−３１５２９５号公報
【特許文献３】特開２００３−１５０５９５号公報
【発明の開示】
【発明が解決しようとする課題】
【０００４】
しかし、端末と情報センタを通信で接続する車載情報システムにおいて、ネットワークの通信速度は操作性に大きく影響するため、回線速度が遅い場合には出来る限り転送データ量を少なくすることが必要となる。特に、携帯電話においては、高速デジタル通信が可能な場合は数Ｍｂｐｓ（Mega bit per second）の転送が可能であるが、国や地域によっては、アナログ音声回線しか通信できない場合がある。このような場合は、数１００ｂｐｓ（bit per second）という低い転送レートしか得られない。
そこで、特許文献２に示すように、一度検索したものは端末に保存しておけば、再度同じ検索を行う場合は、通信が不要となり低い転送レートでも問題はない。
しかし、新しい検索を行う場合は、情報センタで検索することになり、端末はその結果を通信で入手するので、転送レートが低い場合に操作性が大きく損なわれてしまう。
また、特許文献３に示す例では、端末のデータベースが古くなると端末のデータベースを最新にするために、端末側と情報センタ側とのデータベースの差分情報を一括で端末側にダウンロードし、端末ではその最新のデータベースから情報を検索する。従って、端末のデータベースを最新にするときに、検索結果に入らない情報までもダウンロードしてしまい、差分情報とはいえ大量のデータ転送が発生する可能性がある。
【０００５】
そこで、本発明は、以上の従来技術の問題点に鑑み、情報センタの検索結果を車載端末にダウンロードするときの通信データ量を削減し、通信時間の短縮を図ることを目的とする。
【課題を解決するための手段】
【０００６】
以上の問題を解決するために、本発明は、車載管理装置は、車載情報ごとに割り付けられた識別番号を含んだ車載情報を記憶した情報記憶部と、車載端末ごとに、この車載端末が有する前記車載情報の識別情報を記憶する端末管理記憶部と、を記憶装置に記憶しておき、前記車載端末から車載情報の検索の依頼に基づいて、前記情報記憶部から車載情報を検索し、前記検索した車載情報ごとの識別番号を用いて、前記車載端末に当該車載情報が存在するか否かを、前記端末管理記憶部を参照して判定し、前記車載端末に当該車載情報が存在しないと判定された場合は、その車載情報を送信し、前記車載端末に当該車載情報が存在すると判定された場合は、その車載情報に対応する識別番号を送信することを特徴とする車載情報送信方法を提供する。
【発明の効果】
【０００７】
本発明によれば、情報センタの検索結果を車載端末にダウンロードするときの通信データ量を削減することができる。また、通信時間の短縮を図ることができる。
【発明を実施するための最良の形態】
【０００８】
［実施の形態１］
以下に、本発明（車載情報送信方法、車載管理装置、車載端末および車載情報システム）の実施の形態１に係る車載情報システム１について、図面を参照しながら説明する。
【０００９】
図１は、実施の形態１に係る車載情報システム１の構成を示すブロック図である。図１に示す様に、本実施の形態１の車載情報システム１は、車載端末１１０、ディスプレイ１００、および携帯電話１２０からなる車載装置と、基地局１３０およびネットワーク１４０からなる地上ネットワークと、音声・データ切替え装置１６０、電話機１５０、およびアプリケーションサーバ１７０からなる情報センタ１８０と、から構成される。
なお、車載装置における車載端末１１０と携帯電話１２０との間は、無線通信であり、例えば、ブルーツース（Bluetooth）（登録商標）規格で接続されている。
【００１０】
本システムの車載端末１１０は、カーナビゲーションの機能を持ち、設定された目的地に向かって車両を誘導する。以下に、車載装置から情報センタ１８０に対して情報コンテンツの検索を依頼する場合は、次のような手順になる。
【００１１】
車載装置を操作するドライバ（図示しない）は携帯電話１２０を使用して、情報センタ１８０のオペレータ（図示しない）に対して、情報コンテンツの検索を依頼する。実施の形態１では情報コンテンツとして、目的地または目的地の候補となるＰＯＩ（Point Of Interest）情報とする。例えば、「現在地周辺のイタリアンレストランのリストを送ってください」とドライバがオペレータに検索を依頼する。
携帯電話１２０から発信されたデータは、携帯電話の基地局１３０からネットワーク１４０を経由して情報センタ１８０へ送信され、情報センタ１８０では、音声・データ切替え装置１６０を介してオペレータの使用する電話機１５０に送信される。そうすると、オペレータは電話機１５０でドライバと会話しながらアプリケーションサーバ１７０を操作し、ＰＯＩの検索を行う。その検索が終了すると、音声・データ切替え装置１６０で音声電話回線の接続を維持したまま、回線をデータ通信モードに変更し、車載端末１１０に検索結果を送信する。その検索結果は、車載装置のディスプレイ１００に表示され、目的地候補が複数ある場合は、ドライバがその中の１つを選択して目的地とすることができる。
【００１２】
本システムでは、音声電話回線の接続を維持したまま、データ通信も実現するため、電話の掛けなおし操作が不要になり、使い勝手が良くなる。
【００１３】
図２は、車載端末１１０の構成を示すブロック図を示したものである。
【００１４】
車載端末１１０は、ＨＤＤ（Hard Disc Drive）２００、主記憶部２１０、通信制御装置２２０、ＣＰＵ（Central Processing Unit）２３０、ロケータ２４０、入出力装置２５０、操作ボタン２６０およびディスプレイ１００から構成される。
【００１５】
ＨＤＤ２００には、ＰＯＩデータ、地図データを含む目的地の設定履歴を記憶するＰＯＩデータテーブル２０００が記憶され、データベースシステムによって管理されている。なお、ＰＯＩデータテーブル２０００は、ＣＳＶ（Comma Separated Values）形式のファイルとしても良い。
【００１６】
主記憶部２１０には、システム制御部２１１、データ復元部２１２、経路探索部２１３および誘導制御部２１４が、それぞれプログラムとしてロードされており、ＣＰＵ２３０によって実行される。システム制御部２１１は、他のプログラムを制御し、さらに車載端末１１０全体を制御するプログラムである。データ復元部２１２は、情報センタ１８０（図１参照）で検索した検索結果を復元するプログラムである。経路探索部２１３は、目的地までの経路を探索するプログラムである。誘導制御部２１４は、経路探索部２１３で計算されたルートと後記するロケータ２４０に従って、車両を誘導するプログラムである。
【００１７】
通信制御装置２２０は、無線により図１の携帯電話１２０と接続され、主記憶部２１０の図示せぬ通信制御部によって制御され、情報センタ１８０と通話や通信を行う。
【００１８】
ロケータ２４０は、ＧＰＳ（Global Positioning System）２４１、ジャイロ２４２および車速パルス２４３などを用いて車載端末１１０の現在位置を常に計測する。
入出力装置２５０は、操作ボタン２６０およびディスプレイ１００（図１参照）と接続されている。
そして、ドライバが車載端末１１０を操作するため操作ボタン２６０を押下すると、その指示が主記憶部２１０の図示せぬ操作制御部に伝達される。さらに、地図、誘導情報および情報センタ１８０で検索した検索結果などを、主記憶部２１０の図示せぬ表示制御部が、ディスプレイ１００に表示する。
【００１９】
図３は、車載端末１１０内のＨＤＤ２００に記憶されているＰＯＩデータテーブル２０００の一例を示すテーブル構成図である。
【００２０】
ＰＯＩデータテーブル２０００は、情報コンテンツとして、目的地または目的地の候補となるＰＯＩごとに、ＰＯＩの番号３０、名称３１、住所３２、電話番号３３および緯度・経度３４を保持している。番号３０は、ＰＯＩごとに恒久的な番号または記号であり、情報センタ１８０内のＰＯＩの番号または記号と一致している。また、ＰＯＩデータテーブル２０００は、それが作成された日付またはバージョン番号をＨＤＤ２００に持つ。つまり、車載端末１１０が発売されたときの日付、またはＰＯＩデータテーブル２０００を一括で更新したときの日付などである。なお、本実施の形態１においては、ＰＯＩデータテーブル２０００が作成された日付をバージョン番号とする。
【００２１】
図４は、情報センタ１８０内のアプリケーションサーバ１７０の構成を示すブロック図である。
【００２２】
アプリケーションサーバ１７０は、ＨＤＤ４００、主記憶部４１０、通信制御装置４２０、ＣＰＵ４３０、入出力装置４４０、キーボード・マウス４５０およびディスプレイ４６０から構成される。
ＨＤＤ４００には、ＰＯＩデータベース３０００および車載端末管理テーブル４０００が記憶されている。
通信制御装置４２０は、図１の音声・データ切替え装置１６０と接続され、車載端末１１０とデータ通信を行う。
入出力装置４４０は、オペレータが操作するキーボード・マウス４５０とディスプレイ４６０にそれぞれ接続される。
【００２３】
主記憶部４１０には、サーバシステム制御部４１１、車載端末管理部４１２およびデータベース制御部４１３が、それぞれプログラムとしてロードされており、ＣＰＵ４３０によって実行される。サーバシステム制御部４１１は、他のプログラムを制御し、さらにアプリケーションサーバ１７０全体を制御するプログラムである。車載端末管理部４１２は、車載端末１１０から情報コンテンツの検索を依頼されたとき、検索した情報コンテンツを処理して送信するプログラムである。情報コンテンツを処理する手順の詳細は後記する。データベース制御部４１３は、ＨＤＤ４００内のＰＯＩデータベース３０００および車載端末管理テーブル４０００のアクセスを行う。
【００２４】
図６は、アプリケーションサーバ１７０内のＨＤＤ４００が記憶するＰＯＩデータベース３０００の一例を示すテーブル構成図である。
【００２５】
ＰＯＩデータベース３０００は、情報コンテンツとして、目的地または目的地の候補となるＰＯＩごとに、ＰＯＩの番号６０、名称６１、住所６２、電話番号６３、緯度・経度６４およびデータの更新日付６５を保持している。番号６０は、車載端末１１０内のＰＯＩデータテーブル２０００の番号または記号と一致している。また、ＰＯＩデータベース３０００は、定期的に情報が更新される。このため、ＰＯＩごとに更新日付が異なってくる。また、更新日付６５は、更新したときのバージョン番号でも良い。なお、本実施の形態１においては、更新日付をバージョン番号とする。
【００２６】
図７は、アプリケーションサーバ１７０が管理する車載端末管理テーブル４０００の一例を示すテーブル構成図である。
【００２７】
車載端末管理テーブル４０００は、車載端末ごとに管理され、車載端末ごとの固有番号である端末番号７０、その車載端末に接続される携帯電話の携帯電話番号７１、その車載端末が存在している車両の自動車登録内容７２、および、その車載端末のＰＯＩデータテーブル２０００（図２参照）にどのＰＯＩが差分更新されているかを示したＰＯＩ差分更新情報７３を保持している。例えば、符号７０１で示される行は、車載端末の端末番号７０が「ＡＢＣ００１」、その車載端末に接続される携帯番号の携帯電話番号７１が「０９０−１１１−２２２２」、その車載端末が存在している車両の自動車登録内容７２が「車種１、番号１」であり、その車載端末のＰＯＩデータテーブル２０００にＰＯＩ番号７３「１３４５、２４７２」のＰＯＩが差分更新されていることを示している。
【００２８】
図５は、実施の形態１に係る車載情報システム１の車載端末１１０とアプリケーションサーバ１７０間の通信手順を示したものである。図１、２、４を参照しつつ、図５に添って説明する。
【００２９】
まず、ドライバは、車載端末１１０から携帯電話１２０を使用して情報センタ１８０にコールする（Ｓ５０１）。最初は、データ通信モードとして回線を接続する。アプリケーションサーバ１７０は、音声・データ切替え装置１６０から呼び出し着信の通知を受ける（Ｓ５０２）と、それに対する応答を音声・データ切替え装置１６０に返し（Ｓ５０３）、さらに、その応答を車載端末１１０に送信する（Ｓ５０４）。車載端末１１０は、ロケータ２４０が計測した現在位置情報、車両の走行速度、その方位およびＰＯＩデータテーブル２０００のバージョン番号を含む車載端末情報を作成して（Ｓ５０５）、情報センタ１８０にアップロードし（Ｓ５０６）、情報センタ１８０では、音声・データ切替え装置１６０を介して、この車載端末情報をアプリケーションサーバ１７０にアップロードする（Ｓ５０７）。
アプリケーションサーバ１７０は、車載端末情報を受信すると、通話モードに切替えるように音声・データ切替え装置１６０に指示し（Ｓ５０８）、さらに、その指示を車載端末１１０に送信する（Ｓ５０９）。
【００３０】
車載端末１１０は、その指示を受信し、ディスプレイ１００に、通話が可能になったことをドライバに知らせる表示を行う。通話が可能になったら、ドライバは情報センタ１８０のオペレータにＰＯＩの検索依頼を音声で行う（Ｓ５１０）。例えば、「現在地周辺のイタリアンレストランのリストを送ってください」と依頼する。情報センタ１８０のオペレータはその依頼を受けて、アプリケーションサーバ１７０のキーボード・マウス４５０を操作して依頼された条件を入力する。
【００３１】
アプリケーションサーバ１７０は、前記入力された条件でＨＤＤ４００のＰＯＩデータベース３０００を検索し、検索結果を作成する（Ｓ５１１）。そして、作成された検索結果である結果リストを、検索を要求した車載端末の番号と共にアプリケーションサーバ１７０のＨＤＤ４００に記憶する（Ｓ５１２）。ここで、車載端末の番号は、車載端末１１０から情報センタ１８０に携帯電話１２０を使用してコールしたとき、アプリケーションサーバ１７０が車載端末管理テーブル４０００からコール元の携帯電話番号と合致するレコード内の端末番号を検索することにより取得する。
検索が終了すると、アプリケーションサーバ１７０は回線をデータ通信モードに切替えるように音声・データ切替え装置１６０に指示し（Ｓ５１３）、その指示は、車載端末１１０に送信される（Ｓ５１４）。
アプリケーションサーバ１７０は、回線をデータ通信モードに切替えを指示すると、検索結果を送信し（Ｓ５１５）、さらに、その検索結果を、車載端末１１０に送信する（Ｓ５１６）。
【００３２】
車載端末１１０は、データ通信モード切替え指示を受信し、通信をデータ通信モードに変更すると共に、ディスプレイ１００に検索結果ダウンロード中の表示をする。
車載端末１１０は、検索結果の受信が終了すると、回線を切断する（Ｓ５１７）。
回線が切断されると、アプリケーションサーバ１７０は、音声・データ切替え装置１６０から回線切断の通知を受信する（Ｓ５１８）と、検索結果の送信が完了したことをＨＤＤ４００に記憶する（Ｓ５１９）。例えば、前記ＨＤＤ４００に記憶されたＰＯＩ結果リストに送信完了フラグの項目をリンクして追加し、検索結果の送信が完了したことを記憶する。また、ＨＤＤ４００の車載端末管理テーブル４０００に送信完了フラグの項目を追加し、車載端末の番号に対応する欄に検索結果の送信が完了したことを記憶しても良い。
【００３３】
図８はアプリケーションサーバ１７０で作成するＰＯＩ結果リストの作成手順を示すフローを示したものである。図１、２、４を参照しつつ、図８に添って説明する。
以下、ＣＰＵ４３０（図４参照）が、車載端末管理部４１２を実行することによって、各ステップの処理を行う。また、ＰＯＩデータベース３０００および車載端末管理テーブル４０００の検索は、車載端末管理部４１２からデータベース制御部４１３を呼び出し、データベース制御部４１３が実行する。
【００３４】
まず初めに、車載端末の検索依頼に応じてＨＤＤ４００内のＰＯＩデータベース３０００を検索し、結果リストを作成する（Ｓ８００）。
【００３５】
作成された結果リストのＰＯＩ番号ごとにＰＯＩ番号の更新日付（以下、結果リストのＰＯＩ番号のバージョン）が、検索を依頼した車載端末１１０のＰＯＩデータテーブル２０００が作成された日付（以下、ＰＯＩデータテーブル２０００のバージョン）より新しいか否かを判定する（Ｓ８１０）。
結果リストのＰＯＩ番号のバージョンが車載端末１１０のＰＯＩデータテーブル２０００のバージョンと同じか、または古ければ（Ｓ８１０Ｎｏ）、結果リストのＰＯＩ番号、名称、住所、電話番号および緯度・経度を含む当該ＰＯＩの部分をＰＯＩ番号に置換する（Ｓ８３０）。
【００３６】
一方、結果リストのＰＯＩ番号のバージョンがＰＯＩデータテーブル２０００のバージョンより新しければ（Ｓ８１０Ｙｅｓ）、車載端末管理テーブル４０００（図７参照）の車載端末の端末番号７０のＰＯＩ差分更新情報７３の部分に、今回の結果リストにあるＰＯＩ番号が記憶されているか否かを判定する（Ｓ８２０）。
当該ＰＯＩ番号が記憶されていれば（Ｓ８２０Ｙｅｓ）、そのＰＯＩ番号は既に車載端末１１０のＰＯＩデータテーブル２０００に記憶されているため、当該ＰＯＩの部分をＰＯＩ番号に置換する（Ｓ８３０）。
一方、当該ＰＯＩ番号が記憶されていなければ（Ｓ８２０Ｎｏ）、そのＰＯＩ番号は車載端末１１０のＰＯＩデータテーブル２０００にまだ記憶されていないため、結果リストの当該ＰＯＩ番号の部分はそのままとする。
【００３７】
なお、ＰＯＩデータベース３０００に保持されているＰＯＩのうち、あるＰＯＩの情報が新しくなったため更新され日付６５が新しくなったときは、当該ＰＯＩ番号が既に車載端末１１０のＰＯＩデータテーブル２０００に存在している場合は、車載端末管理テーブル４０００に存在する全ての端末番号７０についてのＰＯＩ差分更新情報７３の当該ＰＯＩ番号のみを削除する。これにより、車載端末１１０のＰＯＩデータテーブル２０００のＰＯＩ番号の情報は古くなったため、当該ＰＯＩ番号を次回検索するときは、詳細情報を車載端末１１０に送信することとなる。
【００３８】
作成された結果リストのＰＯＩ番号全てをチェックしたか否かを判定する（Ｓ８４０）。全てのＰＯＩ番号のチェックを終えていない場合は（Ｓ８４０Ｎｏ）、結果リストの次のＰＯＩについてＳ８１０を実行する。一方、全てのＰＯＩ番号のチェックを終えた場合は（Ｓ８４０Ｙｅｓ）、編集した結果リストを車載端末１１０に送信する（Ｓ８５０）。
【００３９】
Ｓ８２０Ｎｏの場合、すなわち、作成された結果リストで、車載端末１１０のＰＯＩデータテーブル２０００に存在しなかったＰＯＩ番号について、車載端末管理テーブル４０００のＰＯＩ差分更新情報７３にそのＰＯＩ番号を追加更新して記憶する（Ｓ８６０）。
【００４０】
図９は、アプリケーションサーバ１７０が検索した結果リストを示したものである。図９（ａ）は、検索した直後の結果リストで、この例ではＰＯＩ番号９８２７、１３４５、５９２８の３件のＰＯＩが検索されている。これを図８に示すＰＯＩ結果リストの作成手順により、例えばＰＯＩ番号９８２７のみが新規ＰＯＩであり他の２件は既に車載端末１１０に記録されていると仮定すると、図９（ｂ）のような結果リストに編集される。これにより置換前では４７９バイトのデータ量が、置換後では２３５バイトにデータ量が削減されている。
【００４１】
以上の例では、情報センタ１８０のＰＯＩ検索をオペレータに依頼する方式を示したが、この検索結果のデータ削減方法は、これに限定するものではなく、車載端末１１０から情報センタ１８０のアプリケーションサーバ１７０へ直接ＰＯＩ検索を指示し、データ削減した場合にも適用可能である。この際、図５のアプリケーションサーバ１７０からの通話モードの切替（Ｓ５０８，Ｓ５０９）の指示は行われず、車載端末１１０からサーバ側オペレータに音声で目的地候補の検索依頼（Ｓ５１０）に代えて、例えば、車載端末の操作ボタン２６０からドライバが操作して目的地候補の検索指示を受けた主記憶部２１０の図示しないプログラムが情報センタ１８０に送信することにより実現できる。
【００４２】
図１０は車載端末１１０が検索結果を受信したときの処理フローを示したものである。図１、２、４を参照しつつ、図１０に添って説明する。
以下、ＣＰＵ２３０（図２参照）が、データ復元部２１２を実行することによって、各ステップの処理を行う。
【００４３】
データ復元部２１２は、アプリケーションサーバ１７０から送信された検索結果である結果リストを受信すると（Ｓ１０１０）、ＰＯＩ番号のＰＯＩが存在するか否かを判定する（Ｓ１０２０）。
ＰＯＩ番号のＰＯＩが存在するならば（Ｓ１０２０Ｙｅｓ）、その番号に該当するＰＯＩデータをＰＯＩデータテーブル２０００から検索し、結果リストのＰＯＩ番号の部分を検索したＰＯＩ番号、名称、住所、電話番号および緯度・経度を含むＰＯＩデータの内容に置換する。
一方、記載されたＰＯＩがＰＯＩ番号のＰＯＩでないならば（Ｓ１０２０Ｎｏ）、受信した結果リストのＰＯＩ番号全てをチェックしたか否かを判定する（Ｓ１０４０）。
全てのＰＯＩ番号のチェックを終えていない場合は、次のＰＯＩ番号のチェックをするため、Ｓ１０２０に遷移する（Ｓ１０４０Ｎｏ）。
一方、全てのＰＯＩ番号のチェックを終えた場合は（Ｓ１０４０Ｙｅｓ）、各ＰＯＩの位置と車載端末１１０の位置から直線距離と方位を算出する（Ｓ１０５０）。
そして、編集した結果リストと算出した直線距離と方位とをディスプレイ１００に表示する。このとき、車載端末１１０に存在しなかったＰＯＩには新規マークをつけて表示する（Ｓ１０６０）。
さらに、車載端末１１０に存在しなかったＰＯＩについて、ＰＯＩデータテーブル２０００に記憶する（Ｓ１０７０）。例えば、図９（ｂ）の結果リストを受信した場合は、ＰＯＩ番号９８２７のＰＯＩを記憶する。
【００４４】
図１１は、検索結果のディスプレイ１００への表示例である。
データ復元部２１２は、新規ＰＯＩには、それと分かるマークを付ける。また、車載端末１１０から見て、どの方向にＰＯＩが存在するかを矢印で示す。例えば、符号１１０１は、「ＸＹレストラン」が新規ＰＯＩであることを示し、新規ＰＯＩであると分かるマークは、「Ｎｅｗ！」となっている。
【００４５】
図１２は、データ通信の途中で回線が切断されたときの再接続の手順を示したものである。図１、２、４を参照しつつ、図１２に添って説明する。
【００４６】
まず、車載端末１１０から携帯電話１２０を使用して情報センタ１８０にコールする（Ｓ１２０１）。最初は、データ通信モードとして回線を接続する。アプリケーションサーバ１７０は、音声・データ切替え装置１６０から呼び出し着信の通知を受ける（Ｓ１２０２）と、それに対する応答を音声・データ切替え装置１６０に返し（Ｓ１２０３）、さらに、その応答を車載端末１１０に送信する（Ｓ１２０４）。車載端末１１０は、再接続フラグを付加した車載端末情報を作成して（Ｓ１２０５）、情報センタ１８０にアップロードし（Ｓ１２０６）、情報センタ１８０では、音声・データ切替え装置１６０を介して、アプリケーションサーバ１７０にアップロードする（Ｓ１２０７）。
【００４７】
アプリケーションサーバ１７０は、アップロードされた車載端末情報に再接続フラグが付加されているか否かを判定する（Ｓ１２０８）。例えば、車載端末情報がＣＳＶ形式で送信され、再接続でない場合の車載端末情報の項目数に１プラスされた項目数であるとき、再接続フラグが付加されているとしても良い。
なお、再接続フラグが付加されている場合は（Ｓ１２０８Ｙｅｓ）、引き続き以下の処理を行う。一方、再接続フラグが付加されていない場合は（Ｓ１２０８Ｎｏ）、再接続でない場合の処理である図５のＳ５０８以降の処理を行うこととなる。
【００４８】
車載端末１１０の当該端末番号の前回接続したときの検索結果の送信が未完了であったか否かを判定する（Ｓ１２０９）。
アプリケーションサーバ１７０では、前回接続したとき、音声通話が終了してデータ転送モードになった後に回線が切断された場合は、車載端末１１０から情報センタ１８０への検索が完了しており、検索結果の結果リストはアプリケーションサーバ１７０のＨＤＤ４００に端末番号ごとに記憶されている（図５のＳ５１２参照）。
例えば、ＨＤＤ４００に記憶された結果リストに送信完了フラグの項目をリンクして追加し、検索結果の送信が完了／未完了であったかを記憶している場合、当該送信完了フラグを参照する。
【００４９】
前回接続したときの検索結果の送信が未完了であったとき（Ｓ１２０９Ｙｅｓ）、当該端末番号に係る検索結果をＨＤＤ４００から検索して、車載端末１１０への送信準備を行う（Ｓ１２１０）。一方、前回接続したときの検索結果の送信が未完了でない場合は（Ｓ１２０９Ｎｏ）、再度オペレータが検索操作を実行し、検索結果を作成するために図５のＳ５１１以降の処理を行なう。
送信準備した検索結果を送信し（Ｓ１２１１）、さらに、その検索結果を車載端末１１０に送信する（Ｓ１２１２）。
【００５０】
車載端末１１０は、検索結果の受信が完了すると、情報センタ１８０との回線を切断する（Ｓ１２１３）。回線が切断されると、アプリケーションサーバ１７０は、音声・データ切替え装置１６０から回線切断の通知を受信する（Ｓ１２１４）。そして、アプリケーションサーバ１７０は、前回接続時の検索結果の送信が完了したことを前記送信完了フラグに記憶する（Ｓ１２１５）。
【００５１】
すなわち、データ通信の途中で回線が切断された後、車載端末１１０からアプリケーションサーバ１７０に電話回線の接続があったときに、アプリケーションサーバ１７０は、車載端末１１０から送られてきた車載端末情報を参照して再接続の要求かどうかを判断し、もし再接続なら音声回線に変更せず、これを省略して前回検索した結果を車載端末１１０に送信する。これにより、オペレータが音声回線に変更せず、データの再送信を行うことができるため、操作性が簡便化され、車載端末１１０へのデータの伝達が早くなるという効果がある。
【００５２】
図１３は、回線が切断されたときの車載端末１１０の表示内容である。
データ受信中に回線が切断されたときは、中止ボタンと再接続ボタンを表示し、ドライバが再接続ボタンを選択入力がされた場合は、さらに、データ受信を再開するコメントも表示する。図１３（ａ）は、データ受信中に回線が切断されたときの表示内容の一例である。
ドライバとオペレータとの会話中に回線が切断されたときは、中止ボタンとオペレータとの会話を再開するための再接続ボタンを表示する。図１３（ｂ）は、オペレータと通話中に回線が切断されたときの表示内容の一例である。
【００５３】
［実施の形態２］
以下、本発明（車載情報送信方法、車載管理装置、車載端末および車載情報システム）の実施の形態２を、図１４、１５を用いて説明する。
【００５４】
図１４は、車載端末とアプリケーションサーバ間の実施の形態２に基づく通信手順を示したものである。
すなわち、アプリケーションサーバ１７０の検索結果を車載端末１１０に送信する場合にＰＯＩの番号リストを送付して、それを受信した車載端末１１０は自身のＰＯＩデータテーブル２０００に記憶されていないＰＯＩについてのみ、再度アプリケーションサーバ１７０に詳細情報を要求する例を示したものである。図１、２、４を参照しつつ、図１４に添って説明する。
【００５５】
まず、車載端末１１０から携帯電話１２０を使用して情報センタ１８０にコールしてから（Ｓ１４０１）から、検索結果と車載端末１１０の端末番号をＨＤＤ４００に記憶する（Ｓ１４１２）までは、実施の形態１（図５のＳ１４０１〜Ｓ１４１２参照）と同様である。
【００５６】
アプリケーションサーバ１７０は、検索結果を作成すると、回線を通話モードからデータ通信モードに切替えるように音声・データ切替え装置１６０に指示し（Ｓ１４１３）、さらに、その指示を車載端末１１０に送信する（Ｓ１４１４）。
アプリケーションサーバ１７０は、回線をデータ通信モードに切替える指示をすると、検索結果のうち、ＰＯＩ番号を送信し（Ｓ１４１５）、さらに、そのＰＯＩ番号を車載端末１１０に送信する（Ｓ１４１６）。
【００５７】
車載端末１１０で、受信したＰＯＩ番号の中で、車載端末１１０のＰＯＩデータテーブル２０００に記憶されていないＰＯＩ番号をリストアップする（Ｓ１４１７）。
【００５８】
車載端末１１０は前記リストアップした新規のＰＯＩ番号を情報センタ１８０に通知し、情報センタ１８０では、音声・データ切替え装置１６０を介して（Ｓ１４１８）、アプリケーションサーバ１７０に、その番号に対する詳細情報を要求する（Ｓ１４１９）。そうすると、アプリケーションサーバ１７０は通知されたＰＯＩ番号の詳細情報を送信し（Ｓ１４２０）、さらに、車載端末１１０に送信する（Ｓ１４２１）。
【００５９】
車載端末１１０は、送信された詳細情報を元に図１１に示すような画面を表示すると共に、新規ＰＯＩ番号に対する詳細情報をＰＯＩデータテーブル２０００に記憶する。
車載端末１１０は、詳細情報の受信が終了すると、回線を切断する（Ｓ１４２２）。
回線が切断されると、アプリケーションサーバ１７０は、音声・データ切替え装置１６０から回線切断の通知を受信する（Ｓ１４２３）。そして、検索結果の送信が完了したことをアプリケーションサーバ１７０に記憶する（Ｓ１４２４）。
【００６０】
図１５は、実施の形態２に基づく検索結果リストを示したものである。
【００６１】
図１５（ａ）は、アプリケーションサーバ１７０が、検索結果のうちＰＯＩ番号を送信したときの結果リストであり、図１４のＳ１４１５の送信時の結果リストを示す。この場合、検索結果のＰＯＩ番号は、９８２７、１３４５および５９２８である。
図１５（ｂ）は、アプリケーションサーバ１７０が、車載端末１１０で受信したＰＯＩ番号のリストの中で、ＰＯＩデータテーブル２０００に記憶されていないＰＯＩ番号に対する詳細情報を送信したときの結果リストであり、図１４のＳ１４２０の送信時の新規ＰＯＩの詳細情報を示す。この場合、ＰＯＩ番号９８２７が車載端末１１０のＰＯＩデータテーブル２０００に存在しなかったＰＯＩ番号である。
【００６２】
本実施の形態２では、アプリケーションサーバ１７０と車載端末１１０の間の送受信するデータ通信量は実施の形態１に比べて少し増加するが、アプリケーションサーバ１７０において車載端末管理テーブル４０００のＰＯＩ差分更新情報が不要になり、管理が簡素化するという効果がある。
【００６３】
［実施の形態３］
以下、本発明（車載情報送信方法、車載管理装置、車載端末および車載情報システム）の実施の形態３を、図１６、１７を用いて説明する。
【００６４】
図１６は、車載端末とアプリケーションサーバ間の実施の形態３に基づく通信手順を示したものである。
すなわち、アプリケーションサーバ１７０から車載端末１１０に対して検索結果をそのまま送信するのではなく、車載端末１１０内に持つＰＯＩデータテーブル２０００から検索するように、アプリケーションサーバ１７０が車載端末１１０に検索指示を出す方法の例を示したものである。図１，２、４を参照しつつ、図１６に添って説明する。
【００６５】
ここで、情報検索、例えば、現在地周辺の検索を行う場合、検索結果は多ければ多いほど良いという訳ではなく、ドライバの検索条件に合った最寄のＰＯＩがいくつかリストアップされれば良い。この方が転送データ量の削減につながり、また、ドライバには目的地となる１つのＰＯＩがあれば充分だからである。
【００６６】
車載端末１１０から情報センタ１８０に電話を接続し、オペレータに検索依頼を行うまでは図５と同様である（Ｓ１６０１〜Ｓ１６１０）。
【００６７】
情報センタ１８０のオペレータは、ＰＯＩデータベース３０００から、車載端末１１０の現在位置を中心に、周辺検索として充分な範囲（例えば、半径約１０ｋｍ程度の広い範囲）で検索操作を実行し、検索結果を作成する（Ｓ１６１１）。
【００６８】
検索結果であるＰＯＩリストは車載端末１１０から近い順にソーティングされ、モニタ４６０にＰＯＩの名称や、ＰＯＩと車載端末１１０との距離などが表示される。そのＰＯＩのリストで、例えば、オペレータが指定した検索結果が５以上になる範囲を算出する（Ｓ１６１２）。
この範囲は、車載端末１１０がＰＯＩデータテーブル２０００からＰＯＩを検索するときの検索範囲の半径として、検索指示データに記載されることとなる。５番目以上の値にあるＰＯＩまでの範囲を指定することで、車載端末１１０への検索指示となり、車載端末１１０側では検索結果として指定された値のＰＯＩが表示されることになるが、この５という数値は絶対的なものではなく、１画面に表示できる行数などにしても良い。
【００６９】
また、車載端末１１０のＰＯＩデータテーブル２０００に存在しない新規ＰＯＩが、その検索範囲に存在する場合は、そのＰＯＩをリストアップして、それを含んで車載端末に対して送信する検索指示データを作成する（Ｓ１６１３）。このとき、前記したとおり検索指示データには、算出したオペレータが指定した検索結果が５以上になる範囲が記載される。
当該転送データである検索結果と車載端末の端末番号をアプリケーションサーバ１７０のＨＤＤ４００に記憶する（Ｓ１６１４）。
【００７０】
検索指示データの作成が終了すると、アプリケーションサーバ１７０は回線をデータ通信モードに切替えるように音声・データ切替え装置１６０に指示し（Ｓ１６１５）、さらに、その指示を車載端末１１０に送信する（Ｓ１６１６）。
アプリケーションサーバ１７０は、回線をデータ通信モードに切替えを指示すると、前記作成した検索指示データを送信し（Ｓ１６１７）、さらに、当該データを車載端末１１０に送信する（Ｓ１６１８）。
【００７１】
車載端末１１０は、検索結果の受信が終了すると、回線を切断する（Ｓ１６１９）。
回線が切断されると、アプリケーションサーバ１７０は、音声・データ切替え装置１６０から回線切断の通知を受信する（Ｓ１６２０）と、検索結果の送信が完了したことをアプリケーションサーバ１７０に記憶する（Ｓ１６２３）。
【００７２】
車載端末１１０は、受信した検索指示データに含まれる前記算出した検索範囲により、車載端末１１０内のＰＯＩリストをＰＯＩデータテーブル２０００から検索する（Ｓ１６２１）。
前記検索したＰＯＩリストと、アプリケーションサーバ１７０から送信された新規ＰＯＩをディスプレイ１００に図１１のような表示を行う（Ｓ１６２２）。
【００７３】
図１７は、実施の形態３に基づく検索結果リストを示すものである。
【００７４】
この例では、ＸＹレストランというのが新規ＰＯＩの詳細情報であり、＜ＣＯＭＭＡＮＤ＞と＜／ＣＯＭＭＡＮＤ＞で囲まれた範囲が車載端末１１０に対する検索指示である。具体的には、”around”が、車載端末１１０の周辺検索の指示、”ＩＴＡＬ”が、検索カテゴリのイタリアンレストランを示す記号である。検索カテゴリの指定は番号で示しても良い。また、”5.3ｋｍ”は、アプリケーションサーバ１７０からの検索指示により車載端末１１０が検索する前記範囲の半径を示している。すなわち、車載端末１１０は、前記車載端末情報の要素である車載端末の現在位置情報から前記検索範囲分ＰＯＩデータテーブル２０００からＰＯＩリストを検索する。
【００７５】
この範囲をアプリケーションサーバ１７０が指定することで、ＰＯＩが密集している地域では検索範囲を狭くして余分な検索結果の表示を防ぐことができ、またＰＯＩが少ない地域では検索範囲を広くして検索できるようになる。これにより、ドライバは効率的に現在地周辺の検索結果から目的の情報を抽出することができる。
【図面の簡単な説明】
【００７６】
【図１】本実施の形態１に係る車載情報システム１の構成を示すブロック図である。
【図２】車載端末の構成を示すブロック図である。
【図３】車載端末が記憶するＰＯＩデータテーブルである。
【図４】アプリケーションサーバの構成を示すブロック図である。
【図５】実施の形態１に係る車載情報システム１の車載端末とアプリケーションサーバ間の通信手順である。
【図６】アプリケーションサーバが記憶するＰＯＩデータベースである。
【図７】アプリケーションサーバが管理する車載端末管理テーブルである。
【図８】アプリケーションサーバのＰＯＩ結果リストの作成手順を示すフローである。
【図９】アプリケーションサーバが検索した結果リストを示したものである。
【図１０】検索結果を受信したときの車載端末の処理フローである。
【図１１】検索結果のディスプレイへの表示例である。
【図１２】データ通信の途中で回線が切断されたときの再接続の手順である。
【図１３】回線が切断されたときの車載端末の表示内容である。
【図１４】車載端末とアプリケーションサーバ間の実施の形態２に基づく通信手順である。
【図１５】実施の形態２に基づく検索結果リストを示すものである。
【図１６】アプリケーションサーバが車載端末に検索指示を出す実施の形態３の通信手順である。
【図１７】実施の形態３に基づく検索結果リストを示すものである。
【符号の説明】
【００７７】
１００  ディスプレイ
１１０  車載端末
１２０  携帯電話
１３０  基地局
１４０  ネットワーク
１５０  電話機
１６０  音声・データ切替え装置
１７０  アプリケーションサーバ
１８０  情報センタ
２０００  ＰＯＩデータテーブル
３０００  ＰＯＩデータベース
４０００  車載端末管理テーブル
【図１】
2008128799.tif 000003
【図２】
2008128799.tif 000004
【図３】
2008128799.tif 000005
【図４】
2008128799.tif 000006
【図５】
2008128799.tif 000007
【図６】
2008128799.tif 000008
【図７】
2008128799.tif 000009
【図８】
2008128799.tif 000010
【図９】
2008128799.tif 000011
【図１０】
2008128799.tif 000012
【図１１】
2008128799.tif 000013
【図１２】
2008128799.tif 000014
【図１３】
2008128799.tif 000015
【図１４】
2008128799.tif 000016
【図１５】
2008128799.tif 000017
【図１６】
2008128799.tif 000018
【図１７】
2008128799.tif 000019